(57)【要約】【課題】本発明の課題は、多数の人が同時に安全・快適に利用できる高地の気圧環境を平地で実現する装置を提案することにある。【解決手段】負圧に耐えうる強度を有し、かつ、人が入退室可能な気密扉を備える筐体の対向する位置に給気用ノズルと排気用ノズルをそれぞれ設け、前記排気用ノズルには逆止弁と前記筐体内部の空気を排気するための排気手段を直列に配管接続し、前記給気用ノズルには圧力制御弁及び予備空気濾過器と本空気濾過器とをそれぞれ直列に配管接続し、前記排気手段を起動して前記筐体内部の空気を連続的に排気しながら前記圧力制御弁を開閉して前記筐体内部を所望の圧力曲線に制御することを特徴とする可搬式の高地環境気圧装置である。【選択図】図４
2015028408.tif 000002
【特許請求の範囲】
【請求項１】
負圧に耐えうる強度を有し、かつ、人が入退室可能な気密扉を備える筐体の対向する位置に給気用ノズルと排気用ノズルをそれぞれ設け、前記排気用ノズルには逆止弁及び前記筐体内部の空気を排気するための排気手段を直列に配管接続し、前記給気用ノズルには圧力制御弁及び予備空気濾過器と本空気濾過器とをそれぞれ直列に配管接続し、前記排気手段を起動して前記筐体内部の空気を連続的に排気しながら前記圧力制御弁を開閉して前記筐体内部を所望の圧力曲線に制御することを特徴とする可搬式の高地環境気圧装置。
【請求項２】
前記筐体には前記筐体の内外から人が操作可能な手動式室内非常弁及び手動式室外非常弁を備えることによって全電源喪失時や火災発生時に迅速・安全に避難でき、かつ、前記排気用ノズルと前記排気手段とを接続する配管の途上には外気吸入弁を備えることによって前記外気吸入弁を開いて前記排気手段を起動し一定時間経過後に前記外気吸入弁を閉じて前記排気手段負荷を低減し前記排気手段を長寿命化できることを特徴とする請求項１に記載の高地環境気圧装置。
【請求項３】
前記筐体外部に外気圧測定用絶対圧力センサーを、前記筐体内部に筐体内圧測定用絶対圧力センサーをそれぞれ１個以上設け、前記筐体外部圧力センサーの測定値を参照しながら前記筐体内圧を天候による気圧変動に左右されず高精度に制御できることを特徴とする請求項１及び２に記載の高地環境気圧装置。
【請求項４】
前記筐体内部に水洗トイレを設け、前記水洗トイレの汚水配管に第一仕切弁と水道水弁及び前記筐体内圧と均圧化するための均圧手段である均圧弁を備えた汚物貯槽と第二仕切弁とをそれぞれ直列に配管接続し、常時は前記第一仕切弁及び前記均圧弁を開き、前記水洗トイレ使用後に汚物を流し前記汚物の流し完了後に前記第一仕切弁及び前記均圧弁を閉じて前記第二仕切弁を開き、前記第二仕切弁が開くと同時に前記汚物貯槽の前記水道水弁が開いて前記汚物貯槽に溜めてある前記汚物を前記第二仕切弁以降に流し、前記第二仕切弁を閉じ前記第一仕切弁及び前記均圧弁を開くサイクルによって前記水洗トイレの前記汚物をスムーズに前記筐体外部に排出できることを特徴とする請求項１乃至３に記載の高地環境気圧装置。
【請求項５】
前記筐体内部の圧力を一定時間で標高２０００乃至２７００メートル以上に相当する気圧まで低下せしめてその圧力を一定時間維持し、しかる後に標高２０００乃至２７００メートルに相当する気圧まで復圧することによって睡眠障害を防止しつつ長時間滞在できることを特徴とする請求項１乃至４に記載の高地環境気圧装置。
【発明の詳細な説明】
【技術分野】
【０００１】  本発明は、高地の気圧環境を平地で実現するための装置に関するものである。
【背景技術】
【０００２】  特許庁電子図書館で高地環境気圧装置に関する特許並びに実用新案検索を行ったが該当する考案は見当たらなかった。
【発明の開示】
【発明が解決しようとする課題】
【０００３】  本発明の課題は、多数の人が同時に安全・快適に利用できる高地の気圧環境を平地で実現する装置を提案することにある。
【課題を解決するための手段】
【０００４】  本発明の課題解決手段について説明する。
請求項１の発明においては、負圧に耐えうる強度を有し、かつ、人が入退室可能な気密扉を備える筐体の対向する位置に給気用ノズルと排気用ノズルをそれぞれ設け、前記排気用ノズルには逆止弁と前記筐体内部の空気を排気するための排気手段を直列に配管接続し、前記給気用ノズルには圧力制御弁及び予備空気濾過器と本空気濾過器とをそれぞれ直列に配管接続し、前記排気手段を起動して前記筐体内部の空気を連続的に排気しながら前記圧力制御弁を開閉して前記筐体内部を所望の圧力曲線に制御する可搬式の高地環境気圧装置であることを特徴とする。【０００５】請求項２の発明においては、前記筐体には前記筐体の内外から人が操作可能な手動式室内非常弁及び手動式室外非常弁を備えることによって全電源喪失時や火災発生時に迅速・安全に避難でき、かつ、前記排気用ノズルと前記排気手段とを接続する配管の途上には外気吸入弁を備えることによって前記外気吸入弁を開いて前記排気手段を起動し一定時間経過後に前記外気吸入弁を閉じて前記真空ポンプ負荷を低減し前記排気手段を長寿命化できる請求項１に記載の高地環境気圧装置であることを特徴とする。【０００６】  請求項３の発明においては、前記筐体外部に外気圧測定用絶対圧力センサーを、前記筐体内部に筐体内圧測定用絶対圧力センサーをそれぞれ１個以上設け、前記筐体外部圧力センサーの測定値を参照しながら前記筐体内圧を天候による気圧変動に左右されず高精度に制御できる請求項１及び２に記載の高地環境気圧装置であることを特徴とする。【０００７】  請求項４の発明においては、前記筐体内部に水洗トイレを設け、前記水洗トイレの汚水配管に第一仕切弁と水道水弁及び前記筐体内圧と均圧化するための均圧手段である均圧弁を備えた汚物貯槽と第二仕切弁とをそれぞれ直列に配管接続し、常時は前記第一仕切弁及び前記均圧弁を開き、前記水洗トイレ使用後に汚物を流し前記汚物の流し完了後に前記第一仕切弁及び前記均圧弁を閉じて前記第二仕切弁を開き、前記第二仕切弁が開くと同時に前記汚物貯槽の前記水道水弁が開いて前記汚物貯槽に溜めてある前記汚物を前記第二仕切弁以降に流し、前記第二仕切弁を閉じ前記第一仕切弁及び前記均圧弁を開くサイクルによって前記水洗トイレの前記汚物をスムーズに前記筐体外部に排出できる請求項１乃至３に記載の高地環境気圧装置であることを特徴とする。【０００８】  請求項５の発明においては、前記筐体内部の圧力を一定時間で標高２０００乃至２７００メートル以上に相当する気圧まで低下せしめてその圧力を一定時間維持し、しかる後に標高２０００乃至２７００メートルに相当する気圧まで復圧することによって睡眠障害を防止しつつ長時間滞在できる請求項１乃至４に記載の高地環境気圧装置であることを特徴とする。
【発明の効果】
【０００９】  本発明によって、多数の人が同時に安全・快適に利用できる高地の気圧環境を平地で実現する装置を提案することができた。
【発明を実施するための最良の形態】
【００１０】  発明を実施するための最良の形態について説明する。
［図１］は本発明の実施例の具体的態様を示す図である。
［図２］は本発明の他の実施例の具体的態様を示す図面である。
［図３］は本発明の他の実施例の具体的態様を示す図面である。
［図４］は本発明の他の実施例の具体的態様を示す図面である。
【実施例】
【００１１】  本発明の実施例の具体的態様を［図１］に示す。
請求項１の発明においては、負圧に耐えうる強度を有し、かつ、人が入退室可能な気密扉を備える筐体（２）の対向する位置に給気用ノズル（５）と排気用ノズル（６）をそれぞれ設け、前記排気用ノズル（６）には逆止弁（７）と前記筐体（２）内部の空気を排気するための排気手段（８）を直列に配管接続し、前記給気用ノズル（５）には圧力制御弁（９）及び予備空気濾過器（１０）と本空気濾過器（１１）とをそれぞれ直列に配管接続し、前記排気手段（８）を起動して前記筐体（２）内部の空気を連続的に排気しながら前記圧力制御弁（９）の開閉により前記筐体（２）内部を所望の圧力曲線に制御できるようにした。【００１２】  本発明の実施例では、負圧に耐えうる筐体（２）は内径２３００ミリメートル、厚さ６ミリメートルの鋼板製円筒状とし、その両端には内径２３００ミリメートル、厚さ６ミリメートルの鋼板製皿形鏡板を配して溶接気密化しているが、必ずしもこの寸法や材質に限定されるものではない。負圧に耐えうる筐体の寸法は人が入室できる空間が確保できれば、これよりも小さくても良く、また、これよりも大きくても良い。また材質についてもアルミニウムやその他の金属でもよく、ＦＲＰ等の非金属材料で構成してもよい。【００１３】  また本発明の実施例では、排気手段（８）としてオリオン機械社製ＫＲＦ４０Ａ−Ｖ０１を、圧力制御弁（９）にはＣＫＤ社製ＡＤＫ１１−２５Ａを使用し、筐体（２）内圧は標高３５００メートルに相当する気圧まで約１５分間で到達せしめ、その後標高３５００メートルに相当する気圧を３０分間維持し、しかる後１５分間かけて地上の気圧まで復圧する圧力制御方法を採ったが、排気手段（８）は必ずしもこれに限定されるものではなく日立製作所製ボルテックスブロワーや水封式真空ポンプ等でもよく、圧力制御弁（９）もオンオフ制御に限定されず比例制御弁でもよい。【００１４】  本発明の他の実施例について［図２］により説明する。
請求項２の発明においては、前記筐体（２）には前記筐体（２）の内外から人が操作可能な手動式室内非常弁（１２）及び手動式室外非常弁（１３）を備えることによって全電源喪失時や火災発生時に迅速・安全に避難でき、かつ、前記排気用ノズル（６）と前記排気手段（８）とを接続する配管の途上には外気吸入弁（１４）を備えることによって前記外気吸入弁（１４）を開いて前記排気手段（８）を起動し一定時間経過後に前記外気吸入弁（１４）を閉じて前記排気手段（８）負荷を低減し前記排気手段（８）を長寿命化できるようにした。【００１５】  請求項２の発明によって、手動式室内非常弁（１２）及び手動式室外非常弁（１３）としてＫＩＴＺ社製４０Ａフルボア型ボールバルブを採用し、外気吸入弁（２２）にはＣＫＤ社製ＡＤＫ１１−１５Ａを採用した。特に外気吸入弁（２２）を開いて排気手段（８）を起動すると、無負荷からの起動となるため排気手段（８）のメンテナンス寿命が３割程度も伸ばすことができた。【００１６】  本発明の他の実施例について［図３］により説明する。
請求項３の発明においては、前記筐体（２）外部に外気圧測定用絶対圧力センサー（１５）を、前記筐体（２）内部に筐体内圧測定用絶対圧力センサー（１６）をそれぞれ１個以上設け、前記筐体外部圧力センサー（１５）の測定値を参照しながら前記筐体（２）内圧を天候による気圧変動に左右されず高精度に制御できるようにした。【００１７】  請求項３の発明では、絶対圧力センサー（１５）、（１６）にコパル電子製絶対圧力センサーＰＡ−７５０−１０２Ａ−Ｒ１をそれぞれ採用したが、必ずしもこれに限定されるものではなく他社製圧力センサーでもよい。【００１８】  本発明の他の実施例について［図４］により説明する。
請求項４の発明においては、前記筐体（２）内部に水洗トイレ（１７）を設け、前記水洗トイレ（１７）の汚水配管（１８）に第一仕切弁（１９）と水道水弁（２２）及び前記筐体内圧と均圧化するための均圧手段である均圧弁（２３）を備えた汚物貯槽（２０）と第二仕切弁（２１）とをそれぞれ直列に配管接続し、常時は前記第一仕切弁（１９）及び前記均圧弁（２３）を開き、前記水洗トイレ（１７）使用後に汚物を流し前記汚物の流し完了後に前記第一仕切弁（１９）及び前記均圧弁（２３）を閉じて前記第二仕切弁（２１）を開き、前記第二仕切弁（２１）が開くと同時に前記汚物貯槽（２０）の前記水道水弁（２２）が開いて前記汚物貯槽（２０）に溜めてある前記汚物を前記第二仕切弁（２１）以降に流し、前記第二仕切弁（２１）を閉じ前記第一仕切弁（１９）及び前記均圧弁（２３）を開くサイクルによって前記水洗トイレ（１７）の前記汚物をスムーズに前記筐体（２）外部に排出できるようにした。【００１９】  請求項４の発明では、水洗トイレはＴＯＴＯ（株）製組み合わせ便器ピュアレストＱＲを、第一仕切弁及び第二仕切弁はＫＩＴＺ製電動式フルボアボールバルブ１００Ａを、均圧弁にはＫＩＴＺ製電動式フルボアボールバルブ４０Ａを、水道水弁にはＣＫＤ社製電磁弁ＦＷＤ１１−２０Ａをそれぞれ採用したが、必ずしもこれに限定されるものではない。他のあらゆる形式のバルブでもよいのである。【００２０】  本発明の他の実施例について［図５］により説明する。
請求項５の発明においては、前記筐体内部の圧力を一定時間で標高２０００乃至２７００メートル以上に相当する気圧まで到達せしめてその気圧を一定時間維持し、しかる後に標高２０００乃至２７００メートルに相当する気圧まで復圧することによって睡眠障害を防止しつつ長時間滞在できるようにした。【００２１】  請求項５の発明では、筐体内部の圧力を平地の気圧から２０分かけて標高３５００メートルに相当する気圧まで到達せしめ、その気圧を４０分間維持してから８分程度の時間をかけて標高２０００メートルまで復圧し、その気圧を約５３０分間維持してから１時間かけて平地の気圧までゆっくり復圧するような圧力制御を行った。このようにすると標高２０００メートルの気圧となる時間帯に睡眠を取ることができるので、睡眠障害を防止しつつ国際線のファーストクラスのような快適さが得られる。【００２２】  本発明によって、長時間滞在に必要な食料・飲料水はもとよりオーディオや読書或いは趣味に没頭することができ、もし尿意や便意を催しても筐体内部に水洗トイレが完備しているので安心である。もし上述のような娯楽に飽きてもそのまま睡眠できるので、あたかもボリビア国の首都ラパスのような高地に滞在したような効果が得られ、日々多忙を極めるビジネスマンにとっても気軽に高地の気圧環境が利用できるようになった。
【産業上の利用可能性】
【００２３】  本発明により、多数の人が同時に安全・快適に高地の気圧環境を楽しむことができるようになった。今後は高地気圧環境リラクゼーション等への展開が期待できる。
【図面の簡単な説明】
【００２４】
【図１】は、本発明の実施例の具体的態様を表す図面である。
【図２】は、本発明の他の実施例の具体的態様を表す図面である。
【図３】は、本発明の他の実施例の具体的態様を表す図面である。
【図４】は、本発明の他の実施例の具体的態様を表す図面である。
【図５】は、本発明の他の実施例の具体的態様を表す図面である。
【符号の説明】
【００２５】１    高地環境気圧装置
２    筐体
２ａ  架台
３    気密扉
４    床
５    給気用ノズル
６    排気用ノズル
７    逆止弁
８    排気手段
９    圧力制御弁
１０  予備空気濾過器
１１  本空気濾過器
１２  手動式室内非常弁
１３  手動式室外非常弁
１４  外気吸入弁
１５  外気測定用絶対圧力センサー
１６  筐体内圧測定用絶対圧力センサー
１７  水洗トイレ
１８  汚水配管
１９  第一仕切弁
２０  汚物貯槽
２１  第二仕切弁
２２  水道水弁
２３  均圧弁
２４  制御装置
２５  汚物排出制御装置
【図１】
2015028408.tif 000003
【図２】
2015028408.tif 000004
【図３】
2015028408.tif 000005
【図４】
2015028408.tif 000006
【図５】
2015028408.tif 000007